(57)【特許請求の範囲】
【請求項１】
第１の方向に分けられた複数の表示部分を含み、その第１の方向に線順次走査を行う表示部と、
供給されたフレーム画像に基づいて、時間的な補間処理を行うことにより、前記表示部分ごとに、その表示部分が走査されるタイミングに応じた補間画像を生成する補間画像生成部と
を備え、
前記表示部は、各表示部分において、その表示部分に対応する前記補間画像を表示する  表示装置。
【請求項２】
前記表示部は、前記第１の方向と交差する方向に設けられた一列の複数の表示素子からなる表示ラインを前記第１の方向に並設したものであり、
前記表示部分は、前記表示ラインである
請求項１に記載の表示装置。
【請求項３】
前記表示部は、前記第１の方向と交差する方向に設けられた一列の複数の表示素子からなる表示ラインを前記第１の方向に並設したものであり、
前記表示部分は、複数の前記表示ラインから構成されている
請求項１に記載の表示装置。
【請求項４】
前記補間画像生成部は、各表示部分の第１の方向における中心に位置する表示素子が走査されるタイミングに応じて前記補間画像をそれぞれ生成する
請求項３に記載の表示装置。
【請求項５】
供給されたフレーム画像に基づいて、時間的な補間処理を行うことにより、線順次走査により表示される表示画面の走査方向に分けられた複数の表示部分のそれぞれごとに、その表示部分が走査されるタイミングに応じた補間画像を生成し、
各表示部分において、その表示部分に対応する補間画像を表示する
表示方法。
【発明の詳細な説明】
【技術分野】
【０００１】
本発明は、映像情報を表示する表示装置および表示方法に関する。
【背景技術】
【０００２】
近年、表示装置では、従来から使用されてきたＣＲＴ（Cathode Ray Tube）表示装置から、液晶表示装置、プラズマ表示装置、有機ＥＬ（Electro Luminescence）表示装置などの薄型表示装置への移行が進んでいる。このような薄型表示装置は、ＣＲＴ表示装置に比べ、小さい設置面積で大画面を実現できることからテレビジョン受像機などに使用され、また、小型化に適していることから携帯機器にも使用されるなど、幅広い電子機器に使用されている。
【０００３】
表示装置における画質向上のための映像信号処理の一つに、フレーム補間を用いたフレームレート変換がある。このフレームレート変換は、入力された映像の隣接するフレームを補間した補間フレームを生成し、入力された映像にその補間フレームを追加するものである（例えば、特許文献１、２、非特許文献１など）。これにより、表示された映像は、より滑らかな映像になるとともに、例えば液晶表示装置の場合に画素の状態が１フレームの間保持し続けることに起因するいわゆる動きボケが低減され、その画質が向上するようになる。
【先行技術文献】
【特許文献】
【０００４】
【特許文献１】特開２０１０−５６６９４号公報
【特許文献２】特開２００７−７４５８８号公報
【非特許文献】
【０００５】
【非特許文献１】“モーションフロー１２０Ｈｚ  倍速液晶”，“モーションフロー２４０Ｈｚ  ４倍速液晶”、［online］、ソニー株式会社、［平成２２年１０月１日検索］、インターネット〈 URL：http://www.sony.jp/bravia/technology/mf240/index.html  〉
【発明の概要】
【発明が解決しようとする課題】
【０００６】
ところで、例えば線順次走査を行う表示装置は、供給された映像信号に含まれるフレーム画像のそれぞれに対して、表示画面の最上部から最下部へ走査を行うことにより表示を行う。すなわち、ある１つのタイミング（瞬間）に対応するフレーム画像が、表示画面上の位置によって、互いに異なるタイミングで表示されることとなる。これにより、例えば表示画面の上下方向に被写体が素早く動くような映像の場合には、観察者はその映像を不自然に感じ、画質が劣化しているように感じるおそれがある。特許文献１，２および非特許文献１には、この画質劣化およびその対策に関する記述は一切ない。
【０００７】
本発明はかかる問題点に鑑みてなされたもので、その目的は、画質を高めることができる表示装置および表示方法を提供することにある。
【課題を解決するための手段】
【０００８】
本発明の表示装置は、表示部と、補間画像生成部とを備えている。表示部は、第１の方向に分けられた複数の表示部分を含み、その第１の方向に線順次走査を行うものである。補間画像生成部は、供給されたフレーム画像に基づいて、時間的な補間処理を行うことにより、表示部分ごとに、その表示部分が走査されるタイミングに応じた補間画像を生成するものである。上記表示部は、各表示部分において、その表示部分に対応する補間画像を表示するものである。
【０００９】
本発明の表示方法は、供給されたフレーム画像に基づいて、時間的な補間処理を行うことにより、線順次走査により表示される表示画面の走査方向に分けられた複数の表示部分のそれぞれごとに、その表示部分が走査されるタイミングに応じた補間画像を生成し、各表示部分において、その表示部分に対応する補間画像を表示するものである。
【００１０】
本発明の表示装置および表示方法では、生成された補間画像が、線順次走査により表示される。その際、補間画像は、表示部の走査方向に分割された表示部分ごとに、その表示部分が走査されるタイミングに応じて生成される。
【００１１】
本発明の表示装置では、例えば、表示部は、第１の方向と交差する方向に設けられた一列の複数の表示素子からなる表示ラインを第１の方向に並設したものであり、表示部分は表示ラインであってもよい。
【００１２】
また、例えば、表示部は、第１の方向と交差する方向に設けられた一列の複数の表示素子からなる表示ラインを第１の方向に並設したものであり、表示部分は、複数の表示ラインから構成されていてもよい。この場合、例えば、補間画像生成部は、各表示部分の第１の方向における中心に位置する表示素子が走査されるタイミングに応じて補間画像をそれぞれ生成するようにしてもよい。
【発明の効果】
【００１３】
本発明の表示装置および表示方法によれば、表示部分ごとに、その表示部分が走査されるタイミングに応じて補間画像を生成するようにしたので、表示画像と実際の表示とのタイミング差を低減することができ、画質を高めることができる。
【図面の簡単な説明】
【００１４】
【図１】本発明の第１の実施の形態に係る表示装置の一構成例を表すブロック図である。
【図２】図１に示した補間ライン画像生成部の一動作例を表す説明図である。
【図３】図１に示した画素の一構成例を表す回路図である。
【図４】図１に示した表示装置の一動作例を表す模式図である。
【図５】第１の実施の形態の変形例に係る表示装置の一動作例を表す模式図である。
【図６】第１の実施の形態の変形例に係る補間ライン画像生成部の一動作例を表す説明図である。
【図７】本発明の第２の実施の形態に係る表示装置の一構成例を表すブロック図である。
【図８】図７に示した表示部の区域を説明するための説明図である。
【図９】図７に示した補間画像生成部の一動作例を表す説明図である。
【図１０】図７に示した表示装置の一動作例を表す模式図である。
【図１１】第２の実施の形態の変形襟に係る表示装置の一動作例を表す模式図である。
【発明を実施するための形態】
【００１５】
以下、本発明の実施の形態について、図面を参照して詳細に説明する。なお、説明は以下の順序で行う。
１．第１の実施の形態
２．第２の実施の形態
【００１６】
＜１．第１の実施の形態＞
［構成例］
（全体構成例）
図１は、本発明の第１の実施の形態に係る表示装置の一構成例を表すものである。なお、本発明の実施の形態に係る表示方法は、本実施の形態により具現化されるので、併せて説明する。表示装置１は、補間ライン画像生成部１０と、表示駆動部２０と、表示部３０とを備えている。
【００１７】
補間ライン画像生成部１０は、供給された映像信号Ｓdispに基づいて補間ライン画像Ｌｉ（後述）を生成し、映像信号Ｓとして出力するものである。具体的には、補間ライン画像生成部１０は、後述するように、映像信号Ｓdispに含まれるフレーム画像Ｅに基づいて、表示部３０の水平ラインごとに、その水平ラインが走査されるタイミングに応じた補間画像（補間ライン画像Ｌｉ）を生成するものである。そして、補間ライン画像生成部１０は、その補間ライン画像Ｌｉを、映像信号Ｓとして表示駆動部２０に供給するようになっている。
【００１８】
表示駆動部２０は、図１に示したように、補間ライン画像生成部１０から供給される映像信号Ｓに基づいて表示部３０を駆動するものである。表示部３０は、線順次走査により表示を行うものであり、この例では、液晶表示素子により構成されている。
【００１９】
（補間ライン画像生成部１０）
図２は、補間ライン画像生成部１０の一動作例を模式的に表すものであり、（Ａ）は供給された映像信号Ｓdispを示し、（Ｂ）は補間ライン画像生成部１０により生成された映像信号Ｓを示す。
【００２０】
映像信号Ｓdispは、図２（Ａ）に示したように、一連のフレーム画像Ｅから構成されている。補間ライン画像生成部１０は、まず、時間的に互いに隣接するフレーム画像Ｅの画像情報に基づいて補間フレーム画像Ｅｉを生成し、それらのフレーム画像Ｅの間にその補間フレーム画像Ｅｉを挿入することにより、一連のフレーム画像Ｆを生成する（図２（Ｂ））。この補間フレーム画像Ｅｉの生成は、後述するように、表示部３０において１水平ラインずつ線順次走査を行う際の各タイミングに対応して行われる。例えば、図２（Ａ）に示したように、ボール９Ａ，９Ｂがフレームの上から下へ移動する映像の場合では、この補間処理により、図２（Ｂ）に示したように、ボール９Ａ，９Ｂがより滑らかに上から下へ移動するようになる。そして、補間ライン画像生成部１０は、各フレーム画像Ｆから、そのフレーム画像に係る１水平ライン分の画像を抽出することにより、補間ライン画像Ｌｉを生成する（図２（Ｂ））。なお、図２（Ｂ）では、説明の便宜上、補間ライン画像Ｌｉは、幅の無い線（１水平ライン）ではなく、幅を有する領域として示している。補間ライン画像生成部１０は、この補間ライン画像Ｌｉを映像信号Ｓとして出力する。
【００２１】
なお、以上の説明では、補間ライン画像生成部１０は、フレーム画像Ｅに基づいて一旦補間フレーム画像Ｅｉを生成し、その補間フレーム画像Ｅｉに基づいて補間ライン画像Ｌｉを生成するとしたが、これに限定されるものではなく、フレーム画像Ｅに基づいて直接補間ライン画像Ｌｉを生成してもよい。
【００２２】
（表示駆動部２０および表示部３０）
表示駆動部２０は、図１に示したように、タイミング制御部２１と、ゲートドライバ２２と、データドライバ２３とを備えている。タイミング制御部２１は、ゲートドライバ２２およびデータドライバ２３の駆動タイミングを制御するとともに、補間ライン画像生成部１０から供給された映像信号Ｓを映像信号Ｓ１としてデータドライバ２３へ供給するものである。ゲートドライバ２２は、タイミング制御部２１によるタイミング制御に従って、表示部３０内の画素Ｐixを水平ラインごとに順次選択して、線順次走査するものである。データドライバ２３は、表示部３０の各画素Ｐixへ、映像信号Ｓ１に基づく画素信号を供給するものである。具体的には、データドライバ２３は、映像信号Ｓ１に基づいてＤ／Ａ（デジタル／アナログ）変換を行うことにより、アナログ信号である画素信号Ｖpixを生成し、各画素Ｐixへ供給するようになっている。
【００２３】
表示部３０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐixを構成している。表示部３０には、画素Ｐixがマトリックス状に配置されている。
【００２４】
図３は、画素Ｐｉｘの回路図の一例を表すものである。画素Ｐixは、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ２２に接続され、データ線Ｄはデータドライバ２３に接続されている。
【００２５】
この構成により、表示部３０では、ゲートドライバ２２がゲート線Ｇを時分割的に線順次走査するように駆動することにより、１水平ラインが順次選択され、その１水平ラインに属する画素Ｐixに対して、データドライバ２３が画素信号Ｖpixを供給することにより、１水平ラインずつ表示が行われるようになっている。
【００２６】
ここで、補間ライン画像生成部１０は、本発明における「補間画像生成部」の一具体例に対応する。補間ライン画像Ｌｉは、本発明における「補間画像」の一具体例に対応する。液晶素子ＬＣは、本発明における「表示素子」の一具体例に対応する。
【００２７】
［動作および作用］
続いて、本実施の形態の表示装置１の動作および作用について説明する。
【００２８】
（全体動作概要）
まず、図１を参照して、表示装置１の全体動作を説明する。補間ライン画像生成部１０は、映像信号Ｓdispに基づいて、補間ライン画像Ｌｉからなる映像信号Ｓを生成し出力する。タイミング制御部２１は、映像信号Ｓに基づいて、ゲートドライバ２２およびデータドライバ２３に対してそれぞれ制御信号を供給し、これらがお互いに同期して動作するように制御するとともに、映像信号Ｓを映像信号Ｓ１としてデータドライバ２３へ供給する。ゲートドライバ２２は、表示部３０のゲート線Ｇを順次駆動することにより、表示の対象となる１水平ラインを順次選択する。データドライバ２３は、表示部３０のデータ線Ｄを駆動することにより、ゲートドライバ２２により選択された１水平ラインの画素Ｐixに対して、画素信号Ｖpixを供給する。表示部３０は、線順次走査により表示を行う。
【００２９】
（詳細動作）
次に、表示装置１の詳細動作を説明する。
【００３０】
図４は、表示装置１の一動作例を表すものであり、（Ａ）は映像信号Ｓdispを示し、（Ｂ）は映像信号Ｓを示し、（Ｃ）は表示部３０における線順次走査を示す。
【００３１】
図４（Ａ）において、例えば、フレーム画像Ｅ（ｔ１）は、タイミングｔ１に係るフレーム画像Ｅを示し、フレーム画像Ｅ（ｔ６）は、タイミングｔ６に係るフレーム画像Ｅを示す。また、図４（Ｂ）において、Ｆ（ｔ１）は、タイミングｔ１に係るフレーム画像Ｆを示し、Ｌｉ（ｔ１）は、タイミングｔ１に係る補間ライン画像Ｌｉを示す。図４（Ｃ）の縦軸は、表示部３０の線順次走査方向の位置を示している。すなわち、図４（Ｃ）は、ある時刻（横軸）において線順次走査の対象となっている水平ラインの位置を示している。
【００３２】
表示装置１では、線順次走査が走査周期Ｔで行われる。ここで、走査周期Ｔは、例えば、１６．７［msec］（６０［Ｈｚ］の一周期分）にすることが可能である。
【００３３】
まず、補間ライン画像生成部１０は、図４（Ａ），（Ｂ）に示したように、フレーム画像Ｅ（ｔ１）に基づいて補間ライン画像Ｌｉ（ｔ１）を生成する。具体的には、補間ライン画像生成部１０は、映像信号Ｓdispに含まれるフレーム画像Ｅ（ｔ１）をフレーム画像Ｆ（ｔ１）とし、その最上部の１ライン分のデータを抽出することにより補間ライン画像Ｌｉ（ｔ１）を生成する。そして、表示部３０は、図４（Ｃ）に示したように、この補間ライン画像Ｌｉを表示部３０の表示画面の最上部に表示する。
【００３４】
これ以降、補間ライン画像生成部１０は、表示部３０における線順次走査に同期して、フレーム画像Ｅ（ｔ１），Ｅ（ｔ６）に基づいて補間ライン画像Ｌｉを順次生成し、表示部３０が、その補間ライン画像Ｌｉを、表示画面上の対応する部分に表示する。
【００３５】
具体的には、例えば、補間ライン画像生成部１０は、図４（Ａ），（Ｂ）に示したように、フレーム画像Ｅ（ｔ１），Ｅ（ｔ６）に基づいて補間処理を行い、タイミングｔ２に係るフレーム画像Ｆ（ｔ２）を生成する。そして、補間ライン画像生成部１０は、このフレーム画像Ｆ（ｔ２）から、このタイミングｔ２において走査対象となる水平ラインの位置に対応する部分を抽出することにより、補間ライン画像Ｌｉ（ｔ２）を生成する。すなわち、タイミングｔ２では、図４（Ｃ）に示したように、水平ラインは表示画面の最上部から１／４下がった位置になるので、補間ライン画像生成部１０は、フレーム画像Ｆ（ｔ２）において、その画像の最上部から１／４下がった位置のラインデータを抽出することにより、補間ライン画像Ｌｉ（ｔ２）を生成する。そして、表示部３０は、その補間ライン画像Ｌｉ（ｔ２）を表示する。
【００３６】
このように、表示装置１では、タイミングｔ１〜ｔ５において、表示部３０の線順次走査に同期して、上述した動作が行われる。そして、タイミングｔ５において走査が終了すると、タイミングｔ５〜ｔ６の期間（垂直ブランキング期間）を経た後、再度最上部から線順次走査が行われる。
【００３７】
（比較例）
次に、比較例に係る表示装置１Ｒについて説明する。本比較例は、フレーム画像Ｅに基づく補間処理を行わないものである。すなわち、本実施の形態（図１）では、補間処理を行う補間ライン画像生成部１０を用いて表示装置１を構成したが、これに代えて、本比較例では、補間処理を行なわずに、フレーム画像Ｅの画像情報を１ライン分ずつ表示駆動部２０に供給するライン画像生成部１０Ｒを用いて表示装置１Ｒを構成している。その他の構成は、本実施の形態（図１）と同様である。
【００３８】
図５は、表示装置１Ｒの一動作例を表すものであり、（Ａ）は映像信号Ｓdispを示し、（Ｂ）は表示部３０における線順次走査を示す。
【００３９】
本比較例に係る表示装置１Ｒでは、ある１タイミング（瞬間）に対応するフレーム画像Ｅ（例えばフレーム画像Ｅ（ｔ１））に基づいて、線順次走査により表示が行われる。すなわち、例えば、フレーム画像Ｅの上部の画像と下部の画像とは、もともと同じタイミングに係る画像であるが、表示部３０において互いに異なるタイミングで表示されることとなる。これにより、例えば、表示画面の上下方向に被写体が素早く動くような映像の場合には、観察者はその映像を不自然に感じ、画質が劣化しているように感じるおそれがある。
【００４０】
図６は、ライン画像生成部１０Ｒの一動作例を模式的に表すものであり、（Ａ）は供給された映像信号Ｓdispを示し、（Ｂ）はライン画像生成部１０Ｒにより生成された映像信号Ｓを示す。
【００４１】
表示装置１Ｒは補間処理を行わないため、表示画像は走査周期Ｔの期間において変化せず、新たな走査周期が始まる度に変化する。すなわち、例えば、図６（Ｂ）に示したように、ボール９Ａ，９Ｂは、走査周期Ｔの期間においては移動しない。言い換えれば、本来は図２（Ｂ）に示したように、走査周期Ｔの期間においてボール９Ａ，９Ｂはフレームの上から下へ移動していくのが自然であるが、表示装置１Ｒでは、図６（Ｂ）に示したようにボール９Ａ，９Ｂは静止したままになってしまう。これにより、例えば、図６（Ｂ）のＷ２に示したように、このタイミングにおいて、表示画面の下にはボール９Ｂが表示されることとなる。
【００４２】
一方、本実施の形態では、補間ライン画像生成部１０は、表示部３０における線順次走査に応じた補間処理を行って補間ライン画像Ｌｉを生成するため（図２（Ｂ））、表示画像が、線順次走査に応じてライン毎に変化するようになる。よって、例えば、図２（Ｂ）のＷ１に示したように、このタイミングでは、表示画面の下部にはボール９Ｂは表示されず、ユーザはより自然な映像を観察することとなる。このように、表示装置１では、表示画像と表示部３０との間のタイミングの差を低減することができ、画質を高めることができる。
【００４３】
［効果］
以上のように本実施の形態では、線順次走査により表示部に表示を行う際、水平ラインごとに、その走査タイミングに応じた補間ライン画像を生成し、それに基づいて表示を行うようにしたので、表示画像と実際の表示との間のタイミングの差を低減することができ、画質を高めることができる。
【００４４】
また、本実施の形態では、その走査タイミングに応じた補間ライン画像を表示するようにしたので、例えば、フレーム画像単位で補間処理を行ってフレームレート変換を行い、倍速駆動などの高速駆動が可能な表示部に表示する場合とは異なり、通常の表示部が使用できるため、部品調達の際のコストを削減することができる。
【００４５】
＜２．第２の実施の形態＞
次に、本発明の第２の実施の形態に係る表示装置２について説明する。本実施の形態は、
表示画面の走査方向に分割された表示領域ごとに、補間画像を生成し、それに基づいて表示を行うものである。なお、上記第１の実施の形態に係る表示装置１と実質的に同一の構成部分には同一の符号を付し、適宜説明を省略する。
【００４６】
図７は、表示装置２の一構成例を表すものである。表示装置２は、補間画像生成部４０を備えている。補間画像生成部４０は、表示部３０の表示画面における走査方向に分割された表示領域ごとに補間画像を生成するものである。
【００４７】
図８は、表示部３０における分割された表示領域を表すものである。表示部３０の表示画面は、この例では、走査方向に４つの区域Ｚ１〜Ｚ４に分割されている。
【００４８】
図９は、補間画像生成部４０の一動作例を模式的に表すものであり、（Ａ）は供給された映像信号Ｓdispを示し、（Ｂ）は補間画像生成部４０により生成された映像信号Ｓを示す。
【００４９】
補間画像生成部４０は、まず、時間的に互いに隣接するフレーム画像Ｅの画像情報に基づいて補間フレーム画像Ｅｉを生成し、それらのフレーム画像Ｅの間にその補間フレーム画像Ｅｉを挿入することにより、一連のフレーム画像Ｆを生成する（図９（Ｂ））。その際、補間画像生成部４０は、後述するように、表示部３０において上述した４つの区域Ｚ１〜Ｚ４が表示走査されるタイミングに対応して、補間フレーム画像Ｅｉを生成する。そして、補間画像生成部４０は、各フレーム画像Ｆから、そのフレーム画像に係る区域の画像を抽出することにより補間画像Ｇｉを生成する（図９（Ｂ））。
【００５０】
なお、以上の説明では、補間画像生成部４０は、フレーム画像Ｅに基づいて一旦補間フレーム画像Ｅｉを生成し、その補間フレーム画像Ｅｉに基づいて補間画像Ｇｉを生成するとしたが、これに限定されるものではなく、フレーム画像Ｅに基づいて直接補間画像Ｇｉを生成してもよい。
【００５１】
ここで、補間画像生成部４０は、本発明における「補間画像生成部」の一具体例に対応する。補間画像Ｇｉは、本発明における「補間画像」の一具体例に対応する。
【００５２】
図１０は、表示装置２の一動作例を表すものであり、（Ａ）は映像信号Ｓdispを示し、（Ｂ）は映像信号Ｓを示し、（Ｃ）は表示部３０における線順次走査を示す。
【００５３】
表示装置２は、タイミングｔ１１〜ｔ１３の期間において、表示部３０の区域Ｚ１における表示を行う。具体的には、まず、補間画像生成部４０は、図１０（Ａ），（Ｂ）に示したように、映像信号Ｓdispに含まれるフレーム画像Ｅ（ｔ１１），Ｅ（ｔ２０）に基づいて補間処理を行うことにより、タイミングｔ１２に係るフレーム画像Ｆ（ｔ１２）を生成する。このタイミングｔ１２は、表示部３０の区域Ｚ１に表示を行う期間（タイミングｔ１１〜ｔ１３）の中心のタイミングに対応するものである。そして、補間画像生成部４０は、このフレーム画像Ｆ（ｔ１２）から、区域Ｚ１に対応する部分を抽出することにより、補間画像Ｇｉ（ｔ１２）を生成する。そして、表示部３０は、図１０（Ｃ）に示したように、この補間画像Ｇｉ（ｔ１２）を区域Ｚ１に表示する。
【００５４】
同様に、表示装置２は、タイミングｔ１３〜ｔ１５の期間において表示部３０の区域Ｚ２における表示を行い、タイミングｔ１５〜ｔ１７の期間において表示部３０の区域Ｚ３における表示を行い、タイミングｔ１７〜ｔ１９の期間において表示部３０の区域Ｚ４における表示を行う。
【００５５】
以上のように本実施の形態では、表示画面の走査方向に分割された表示領域ごとに、補間画像を生成するようにしたので、補間処理をシンプルにすることができる。その他の効果は、上記第１の実施の形態の場合と同様である。
【００５６】
［変形例］
上記実施の形態では、補間画像生成部４０は、表示部における各区域の表示を行う期間の中心のタイミングに対応した補間フレーム画像を生成したが、これに限定されるものではない。以下に、一例として、各区域の表示を行う期間の最初のタイミングに対応した補間フレーム画像を生成する補間画像生成部４０Ｂを用いた場合の一動作例を説明する。
【００５７】
図１１は、本変形例に係る表示装置の一動作例を表すものであり、（Ａ）は映像信号Ｓdispを示し、（Ｂ）は映像信号Ｓを示し、（Ｃ）は表示部３０における線順次走査を示す。
【００５８】
本変形例では、補間画像生成部４０Ｂは、表示部における各区域の表示を行う期間の最初のタイミングに対応した補間フレーム画像を生成する。具体的には、例えば、タイミングｔ１３〜ｔ１５の期間において、表示部３０の区域Ｚ２における表示を行う際、補間画像生成部４０Ｂは、フレーム画像Ｅ（ｔ１１），Ｅ（ｔ２０）に基づいて、この期間の最初のタイミングであるタイミングｔ１３に係るフレーム画像Ｆ（ｔ１３）を生成する。そして、表示部３０は、図１１（Ｃ）に示したように、この補間画像Ｇｉ（ｔ１３）を区域Ｚ２に表示する。
【００５９】
上記実施の形態では、表示画面を走査方向に４つに分割したが、これに限定されるものではなく、これに代えて、２つもしくは３つに分割しても良いし、５つ以上に分割してもよい。この場合、例えば、補間画像生成部は、その分割した区域ごとに補間処理を行って補間フレーム画像をそれぞれ生成するのが望ましい。
【００６０】
以上、いくつかの実施の形態および変形例を挙げて本発明を説明したが、本発明はこれらの実施の形態等には限定されず、種々の変形が可能である。
【００６１】
例えば、上記実施の形態等では、表示部３０は液晶を用いるものとしたが、これに限定されるものではなく、これに代えて、例えばＥＬを用いるものであってもよい。
【符号の説明】
【００６２】
１，２…表示装置、１０…補間ライン画像生成部、２０…表示駆動部、２１…タイミング制御部、２２…ゲートドライバ、２３…データドライバ、３０…表示部、４０…補間画像生成部、Ｃ…保持容量素子、Ｄ…データ線、Ｅ，Ｆ…フレーム画像、Ｅｉ…補間フレーム画像、Ｇ…ゲート線、Ｇｉ…補間画像、ＬＣ…液晶素子、Ｌｉ…補間ライン画像、Ｐix…画素、Ｓ，Ｓdisp…映像信号、Ｔｒ…ＴＦＴ素子、Ｚ１〜Ｚ４…区域。
【図１】
0005671957.tif 000002
【図２】
0005671957.tif 000003
【図３】
0005671957.tif 000004
【図４】
0005671957.tif 000005
【図５】
0005671957.tif 000006
【図６】
0005671957.tif 000007
【図７】
0005671957.tif 000008
【図８】
0005671957.tif 000009
【図９】
0005671957.tif 000010
【図１０】
0005671957.tif 000011
【図１１】
0005671957.tif 000012